(57)【要約】【課題】ゲート装置に対して機能モジュールを接続するだけで機能モジュールの電力路と情報路とを同時に確保できると共に停電した場合であっても機能モジュールを機能させることができるバックアップ機能を備えた配線システムを提供する。【解決手段】電力線Ｌ１に接続された電力路接続口３１と情報線Ｌ２に接続された情報路接続口３２とを有するゲート装置３と、ゲート装置３の電力路接続口３１と情報路接続口３２とに接続されるコネクタ４Ａを有するＤＣ駆動機能モジュールと、ＡＣ電力をＤＣ電力に変換してＤＣ駆動機能モジュールにＤＣ供給するためのＡＣ／ＤＣ変換手段と、停電検出手段と、電力を供給するバックアップ電源手段とを備え、停電検出手段が停電を検出するとバックアップ電源手段の電力によりＤＣ駆動機能モジュールにＤＣ供給される。【選択図】図１
2007174494.tif 000002
【特許請求の範囲】
【請求項１】
電力線に接続された電力路接続口と情報線に接続された情報路接続口とを有するゲート装置と、ゲート装置の電力路接続口と情報路接続口とに接続されるコネクタを有するＤＣ駆動機能モジュールと、ＡＣ電力をＤＣ電力に変換してＤＣ駆動機能モジュールにＤＣ供給するためのＡＣ／ＤＣ変換手段と、停電検出手段と、電力を供給するバックアップ電源手段とを備え、停電検出手段が停電を検出するとバックアップ電源手段の電力によりＤＣ駆動機能モジュールにＤＣ供給されることを特徴とする配線システム。
【請求項２】
バックアップ電源手段はＡＣ／ＤＣ変換手段で変換されたＤＣ電力を供給することを特徴とする請求項１に記載の配線システム。
【請求項３】
ＤＣ駆動機能モジュールはＤＣ駆動部とＤＣ駆動部にＤＣ供給するための第一ＡＣ／ＤＣ変換手段とを有し、通常時には電力線を通ってゲート装置に送られるＡＣ電力を第一ＡＣ／ＤＣ変換手段にて変換してＤＣ駆動部にＤＣ供給する一方、バックアップ電源手段は電力線の途中で分岐する分岐電力線に第二ＡＣ／ＤＣ変換手段を介して接続され、通常時には第二ＡＣ／ＤＣ変換手段によって変換されたＤＣ電力を充電し、停電検出手段が停電を検出するとバックアップ電源手段のＤＣ電力を情報線を通してＤＣ駆動部にＤＣ供給することを特徴とする請求項２に記載の配線システム。
【請求項４】
電力線と情報線とは分電盤を介して外部と接続され、バックアップ電源手段は、分電盤内において、電力線から分岐して設けられ且つ情報線と電気的に接続されていることを特徴とする請求項３に記載の配線システム。
【請求項５】
ＤＣ駆動機能モジュールは、ＬＥＤモジュールであることを特徴とする請求項１に記載の配線システム。
【請求項６】
ＬＥＤモジュールは、部屋の上部に設けられたゲート装置に接続されることを特徴とする請求項５に記載の配線システム。
【請求項７】
ＬＥＤモジュールは、部屋の下部に設けられたゲート装置に接続されることを特徴とする請求項５に記載の配線システム。
【請求項８】
ＤＣ駆動機能モジュールは、センサモジュールであることを特徴とする請求項１に記載の配線システム。
【請求項９】
ＤＣ駆動機能モジュールとして更にＬＥＤモジュールを備え、センサモジュールでの検出信号が情報線を通ってＬＥＤモジュールに送信されると、ＬＥＤモジュールは、送信された検出信号に対応した駆動状態となることを特徴とする請求項８に記載の配線システム。
【請求項１０】
ＤＣ駆動機能モジュールは、コネクタが電力路接続口と情報路接続口とに接続されることにより、電力線及び情報線に同時に接続されることを特徴とする請求項１乃至９の何れかに記載の配線システム。
【請求項１１】
電力路接続口と情報路接続口とはモジュール化されて接続部を形成しており、コネクタは接続部に適合するようにモジュール化されていることを特徴とする請求項１０に記載の配線システム。
【発明の詳細な説明】
【技術分野】
【０００１】
本発明は、情報と負荷の電力とを同時に送ることができ、且つ停電等した場合であっても負荷を機能させることができるバックアップ機能を備えた配線システムに関する。
【背景技術】
【０００２】
従来、端末器を通じて負荷の操作（監視）制御を行うシステムには、端末器へ中央監視装置から複極のベースバンド信号からなる伝送信号を時分割多重によって送り、各端末器では、この伝送信号を利用して情報の授受を行うと共に端末回路部の電源を得るシステムがあった（下記特許文献１参照）。
【０００３】
そしてこのシステムでは、埋め込み型の配線器具用に規格されているスイッチボックスとこれに対応する取付枠とを用いて操作スイッチ等を設けた操作用端末器を壁面に埋め込み配設することで、従前の壁スイッチと同様な使い方が行われるようになっている。また２組の操作用端末器を取り付ける場合には、２つの取付窓を備えた２連用の取付枠を用い、取付枠の片側の一連分を一連型のスイッチボックスに取り付け、残りの片側を壁面に沿わせるように配置し、夫々の取付窓に操作用端末器を取り付けることで、２つの操作用端末器を併設する構成を採用していた。また、取付窓間に設けた導電片を両側の取付窓に設けた操作用端末器のリード片を接触させることで、一方の操作用端末器（スイッチボックス側）から他方の操作用端末器へ信号線を送り配線する構成となっている。
【特許文献１】特許第３１３６００６号公報（段落番号０００４、０００５、００１５、図１、図３７）
【発明の開示】
【発明が解決しようとする課題】
【０００４】
ところで、上述のシステムは、伝送信号により端末器の端末回路部に電力を供給することができるものの、例えば信号線の電流容量等の制限から制御用端末器により制御される負荷への電力供給は、夫々の設置場所において商用電源から供給する構成であった。そのため、２線の信号線を各端末器間で接続するだけでよいため、信号線について省配線化を図ることができるものの、負荷に対する電源線の配置が従前のままであるため、制御用端末器の設置場所が限定される。
【０００５】
また、災害等によって停電した場合のように、商用電源からの電力供給が絶たれてしまうと、配線システム全体の機能が停止してしまい、例えば防犯や防災等が困難になる。
【０００６】
本発明は、上述の点に鑑みてなされたものであり、その目的とするところは、ゲート装置に対して機能モジュールを接続するだけで機能モジュールの電力路と情報路とを同時に確保できると共に停電した場合であっても機能モジュールを機能させることができるバックアップ機能を備えた配線システムを提供することにある。
【課題を解決するための手段】
【０００７】
本発明は、上記課題を解決すべくなされたものであり、本発明に係る配線システムは、電力線に接続された電力路接続口と情報線に接続された情報路接続口とを有するゲート装置と、ゲート装置の電力路接続口と情報路接続口とに接続されるコネクタを有するＤＣ駆動機能モジュールと、ＡＣ電力をＤＣ電力に変換してＤＣ駆動機能モジュールにＤＣ供給するためのＡＣ／ＤＣ変換手段と、停電検出手段と、電力を供給するバックアップ電源手段とを備え、停電検出手段が停電を検出するとバックアップ電源手段の電力によりＤＣ駆動機能モジュールにＤＣ供給されることを特徴とする。
【０００８】
該構成の配線システムにあっては、ゲート装置の電力路接続口と情報路接続口とにＤＣ駆動機能モジュールのコネクタを接続することによって、ゲート装置に対してＤＣ駆動機能モジュールを接続するものである。よって、ＤＣ駆動機能モジュールは、ゲート装置に接続すれば、同時に電力線及び情報線に接続されることになる。
【０００９】
また、通常時には、電力線を通って送られるＡＣ電力をＡＣ／ＤＣ変換手段によりＤＣ電力に変換してＤＣ駆動機能モジュールにＤＣ供給することができるので、ＤＣ駆動機能モジュールが機能する。一方、停電した場合には、停電検出手段が停電を検知し、それによりバックアップ電源手段の電力によりＤＣ駆動機能モジュールにＤＣ供給される。その電力によって、ＤＣ駆動機能モジュールは機能し続ける。
【００１０】
特に、バックアップ電源手段はＡＣ／ＤＣ変換手段で変換されたＤＣ電力を供給することが好ましい。このようにすると、予めＤＣ変換されたＤＣ電力を直接利用してＤＣ駆動機能モジュールにＤＣ供給することができるので、バックアップ電源手段とＤＣ駆動機能モジュールとの配線を簡素化することができる。
【００１１】
また、ＤＣ駆動機能モジュールはＤＣ駆動部とＤＣ駆動部にＤＣ供給するための第一ＡＣ／ＤＣ変換手段とを有し、通常時には電力線を通ってゲート装置に送られるＡＣ電力を第一ＡＣ／ＤＣ変換手段にて変換してＤＣ駆動部にＤＣ供給する一方、バックアップ電源手段は電力線の途中で分岐する分岐電力線に第二ＡＣ／ＤＣ変換手段を介して接続され、通常時には第二ＡＣ／ＤＣ変換手段によって変換されたＤＣ電力を充電し、停電検出手段が停電を検出するとバックアップ電源手段のＤＣ電力を情報線を通してＤＣ駆動部にＤＣ供給することが好ましい。
【００１２】
このような構成とすると、電力線をＡＣ電力専用の電力路とすることによって汎用性が向上する。また、停電時に、バックアップ電源手段によるＤＣ電力を情報線を通してＤＣ駆動部に直接ＤＣ供給することができる。
【００１３】
更に、電力線と情報線とは分電盤を介して外部と接続され、バックアップ電源手段は、分電盤内において、電力線から分岐して設けられ且つ情報線と電気的に接続されていることが好ましい。このように構成すると、分電盤とゲート装置との間の電力線及び情報線の配線を簡素化することができ、また、メンテナンス等の作業を分電盤内で一手に行うことが可能となる。
【００１４】
また、ＤＣ駆動機能モジュールは、ＬＥＤモジュールであることが好ましい。ＬＥＤは、省電力可能なものであるため、バックアップ電源手段の電力を長時間に亘って利用することができ、停電が長時間に及んでも、ＬＥＤの機能を維持し続けることが可能となる。従って、停電時に、ＬＥＤモジュールを、例えば避難者の避難経路を照らす等の防災用照明器具等として利用することができる。
【００１５】
更に、ＬＥＤモジュールは、部屋の上部に設けられたゲート装置に接続されることが好ましい。このようにすると、停電時だけでなく通常時にも、ＬＥＤモジュールを主たる照明器具として機能させることができる。
【００１６】
また更に、ＬＥＤモジュールは、部屋の下部に設けられたゲート装置に接続されることが好ましい。このようにすると、停電時だけでなく通常時にも、ＬＥＤモジュールを歩行者等の足元を照らす足元灯として機能させることができる。
【００１７】
また、ＤＣ駆動機能モジュールは、センサモジュールであることが好ましい。このようにすると、停電時に、例えば、部外者が侵入したことや火災が発生したこと等をセンサモジュールにより検知することができるので、防犯防災器具として利用することができる。
【００１８】
更に、ＤＣ駆動機能モジュールとして更にＬＥＤモジュールを備え、センサモジュールでの検出信号が情報線を通ってＬＥＤモジュールに送信されると、ＬＥＤモジュールは、送信された検出信号に対応した駆動状態となることが好ましい。このようにすると、停電時に、ＬＥＤの駆動状態（発光状態）によって、視覚を通じて容易にセンサモジュールの検知結果を認識することが可能となる。
【００１９】
また更に、ＤＣ駆動機能モジュールは、コネクタが電力路接続口と情報路接続口とに接続されることにより、電力線及び情報線に同時に接続されることが好ましい。ゲート装置の電力路接続口と情報路接続口とに対して機能モジュールのコネクタを着脱自在に接続するだけで電力路と情報路とを同時に確保することができる。
【００２０】
更に、電力路接続口と情報路接続口とはモジュール化されて接続部を形成しており、コネクタは接続部に適合するようにモジュール化されていることが好ましい。ＤＣ駆動機能モジュールをどのゲート装置にも着脱自在に接続できるのでレイアウトフリーで施工性に優れた配線システムとすることができる。
【発明の効果】
【００２１】
このように、本発明に係る配線システムにあっては、ゲート装置が電力路接続口と情報路接続口とを有しており、電力路接続口と情報路接続口とにコネクタを接続することによってＤＣ駆動機能モジュールをゲート装置に接続するので、ゲート装置に対して機能モジュールを接続するだけで機能モジュールの電力路と情報路とを同時に確保することができる。
【００２２】
しかも、通常時にＤＣ駆動機能モジュールにＤＣ供給することができるだけでなく、停電時にも、バックアップ電源手段の電力によりＤＣ駆動機能モジュールにＤＣ供給することができ、ＤＣ駆動機能モジュールが機能し続ける。従って、従来のように、商用電源からの電力の供給が途絶えて配線システムの機能が停止することなく、配線システムが機能し続け、例えば、防犯や防災等をすることができるという効果を奏する。
【発明を実施するための最良の形態】
【００２３】
以下、本発明に係る配線システムの一実施形態について図面を参酌しつつ説明する。
図１に、本実施形態における配線システム１が示されている。該配線システム１は、外部の電源（例えば、商用電源ＡＣ等）に接続された電力線Ｌ１と、外部のインターネット網ＮＴに接続されている情報線Ｌ２と、電力線Ｌ１及び情報線Ｌ２が引き込まれる分電盤２と、分電盤２を介して例えば屋内等の適所に引き込まれて配線された電力線Ｌ１及び情報線Ｌ２に接続されるゲート装置３と、ゲート装置３に接続されるＤＣ駆動機能モジュールとを備える。以下、ＤＣ駆動機能モジュールとしてＬＥＤモジュール４及びセンサモジュール５が用いられる場合について説明する。
【００２４】
分電盤２は、電力線Ｌ１が外部から引き込まれて導入される主幹ブレーカＭＢと、主幹ブレーカＭＢの二次側に接続される第一分岐ブレーカＢＢ１とを備えている。そして、第一分岐ブレーカＢＢ１から電力線Ｌ１が例えば屋内等の適所に配線され、その途中又は先端にゲート装置３が接続されている。尚、本実施形態では、ゲート装置３は複数箇所接続されているが、１箇所でもよい。
【００２５】
また、分電盤２は、主幹ブレーカＭＢと第一分岐ブレーカＢＢ１との間で電力線Ｌ１が分岐した分岐電力線Ｌ３とこの分岐電力線Ｌ３に接続される第二分岐ブレーカＢＢ２とを備え、更に、第二分岐ブレーカＢＢ２の二次側に第二ＡＣ／ＤＣ変換手段としての第二ＡＣ／ＤＣコンバータ６と第二ＡＣ／ＤＣコンバータ６に接続されるバックアップ電源手段としてのバッテリ７とを備える。ここで、第二ＡＣ／ＤＣコンバータ６は停電検出機能を有しており、本実施形態では、この停電検出機能が停電検出手段として機能する。停電検出機能の構成としては、例えば、スイッチを切り替えて電力が送電される電力路を切り替える構成とすることもできるし、或いは、電力の流れのみを切り替える構成とすることもできる。尚、停電検出手段は、第二ＡＣ／ＤＣコンバータ６の機能ではなく、別体の例えば停電検出器であってもよい。このような分電盤２においては、通常時、即ち、商用電源ＡＣからＡＣ電力が供給されている場合には、第二分岐ブレーカＢＢ２と第二ＡＣ／ＤＣコンバータ６とを介して分岐電力線Ｌ３を通って送られてきた電力がバッテリ７に充電されるようになっている。
【００２６】
また、分電盤２は、外部から引き込まれた情報線Ｌ２が導入されるゲートウェイＧＷ（ルータ、ハブ内蔵）を備えており、ゲートウェイＧＷから情報線Ｌ２が例えば屋内等の適所に引き込まれて配線され、そこにゲート装置３が接続されている。そして、ゲートウェイＧＷと第二ＡＣ／ＤＣコンバータ６とは電気的に接続されている。
【００２７】
ゲート装置３は、第一分岐ブレーカＢＢ１から配線された電力線Ｌ１とゲートウェイＧＷから配線された情報線Ｌ２とにそれぞれ接続されている。ゲート装置３は、図１に示すように、建物内の適所において埋め込み配設している１乃至複数のスイッチボックスＳＢに取り付けられるものであり、電力線Ｌ１に接続された電力路接続口３１と情報線Ｌ２に接続された情報路接続口３２とを有する。具体的には、スイッチボックスＳＢは、建物内の壁面に前面開口するように埋め込み配設されている。そして、始端となるスイッチボックスＳＢには、分電盤２を介して屋内に引き込まれた電力線Ｌ１と情報線Ｌ２とが壁面内にて接続されている。一方、各スイッチボックスＳＢ間には、壁面内で先行配線した電力線Ｌ１と情報線Ｌ２とが送り配線されている。このようにして、それぞれのスイッチボックスＳＢは電力線Ｌ１及び情報線Ｌ２に接続されている。尚、スイッチボックスＳＢは、室内の天井面やエアコン口等のようなハイポジションＨＰに設けられるものと、壁スイッチ等で推奨される高さ位置（ミドルポジションＭＰ）に設けられるものと、足元付近（ローポジションＬＰ）に設けられるものとに区分される。
【００２８】
ゲート装置３は、上述のようなスイッチボックスＳＢ内の奥壁に取り付けられ、図２に示すように、後部（スイッチボックスＳＢの奥壁側）に、電力線Ｌ１及び情報線Ｌ２をそれぞれ接続する上下一対の端子部を上下に２組３３，３４，３３’，３４’並べて配備している。下側の端子部の組３３’，３４’に接続される電力線Ｌ１及び情報線Ｌ２は、他のスイッチボックスＳＢへの送り配線となっている。また、ゲート装置３の前部には、電力線Ｌ１と電気的に接続される接触部を備え且つ前方開口した電力路接続口３１と情報線Ｌ２と電気的に接続される接触部を備え且つ前方開口した情報路接続口３２とが設けられる。
【００２９】
ここで、電力路接続口３１と情報路接続口３２とは、両者間の間隔及び内部の接触部の配列、開口の形状をシステムとしてモジュール化（定型化或いは規格化）しており、これによって接続部３Ａを構成している。ゲート装置３は、この接続部３ＡがスイッチボックスＳＢの前面開口側に配置されるように取り付けられる。
【００３０】
ゲート装置３に接続されるＬＥＤモジュール４は、ゲート装置３の電力路接続口３１と情報路接続口３２とに接続されるコネクタ４Ａを有する。具体的には、ＬＥＤモジュール４は、図２に示すように、その背面部に電力路接続口３１に嵌合する電力被接触部４１と情報路接続口３２に嵌合する情報被接触部４２とを備え、それぞれの被接触部にてコネクタ４Ａを構成している。尚、このコネクタ４Ａは、ゲート装置３の接続部３Ａに対応した形態となるようにモジュール化している。ＬＥＤモジュール４の内部には、電力被接触部４１に接続される第一ＡＣ／ＤＣ変換手段としての第一ＡＣ／ＤＣコンバータ４３と、第一ＡＣ／ＤＣコンバータ４３の二次側に接続されるＤＣ／ＡＣコンバータ４４と、ＤＣ／ＡＣコンバータ４４に接続されると共にコア４５に巻き回されたコイル４６とが設けられている。従って、通常時には、第一ＡＣ／ＤＣコンバータ４３とＤＣ／ＡＣコンバータ４４とを介して送られてきた電力が、拡張用としてＬＥＤモジュール４に隣接されている機能モジュールに非接触にて供給できるようになっている。尚、第一ＡＣ／ＤＣコンバータ４３は、ゲート装置３に設けてもよい。また、非接触ではなく接触した状態で拡張用の機能モジュールに電力を供給するような構成であってもよい。また、第一ＡＣ／ＤＣコンバータ４３及びＤＣ／ＡＣコンバータ４４の間には、ＤＣ駆動部としての第一発光素子ＬＥＤ４７が分岐して接続されている。通常時には、電力線Ｌ１を通って送電されたＡＣ電力が、第一ＡＣ／ＤＣコンバータ４３でＤＣ変換されて第一発光素子ＬＥＤ４７にＤＣ供給されることによって、第一発光素子ＬＥＤ４７が発光し、ＬＥＤモジュール４としての機能を発揮する。
【００３１】
また、ＬＥＤモジュール４の内部には、情報被接触部４２に接続された送受信部４８と、送受信部４８の二次側に接続されるＥ／Ｏ変換部４９と、Ｅ／Ｏ変換部４９に接続された第二発光素子ＬＥＤ４０１と、送受信部４８の二次側でＥ／Ｏ変換部４９と併設して接続されるＯ／Ｅ変換部４０２と、Ｏ／Ｅ変換部４０２に接続される受光素子ＰＤ４０３とを備える。従って、拡張用の機能モジュールとの間で、非接触で情報信号の送受信をすることができる。尚、非接触ではなく接触した状態で情報信号の送受信をするような構成であってもよい。そして、情報被接触部４２及び送受信部４８の間には、第一発光素子ＬＥＤ４７が電気的に接続されている。即ち、第一発光素子ＬＥＤ４７は、電力線Ｌ１と情報線Ｌ２との間に亘るように電気的に接続されている。
【００３２】
このようなＬＥＤモジュール４は、ゲート装置３のモジュール化された接続部３Ａに接続するので、ハイポジションＨＰ、ミドルポジションＭＰ、及びローポジションＬＰの何れの位置に設置されたゲート装置３についても接続可能であるが、本実施形態では、図１に示すように、ハイポジションＨＰ及びローポジションＬＰに位置するゲート装置３に接続されている。
【００３３】
ゲート装置３に接続されるセンサモジュール５は、図３に示すように、上述のＬＥＤモジュール４のＤＣ駆動部としての第一発光素子ＬＥＤ４７を、例えば人検出センサや火災報知センサ、窓用防犯センサ等の各種の防犯防災センサ５７としたものである。このセンサモジュール５についても、ＬＥＤモジュール４と同様に、何れの位置に設置されたゲート装置３についても接続可能であるが、本実施形態では、図１に示すように、ハイポジションＨＰ及びミドルポジションＭＰに位置するゲート装置３に接続されている。また、センサモジュール５での検出信号を情報線Ｌ２を介してＬＥＤモジュール４に送信し、その検出信号に基づいて、第一発光素子ＬＥＤ４７の駆動状態、換言すると第一発光素子ＬＥＤ４７の発光状態、例えば点灯や点滅等の発光方法や発光色などを変化させるように、ＬＥＤモジュール４を構成することもできる。このようにすると、停電時、即ち、商用電源ＡＣからのＡＣ電力が途絶えると、第一発光素子ＬＥＤ４７の発光状態によって、視覚を通じてセンサモジュール５の検知結果を容易に認識することができる。
【００３４】
このように、本配線システム１は、各ゲート装置３に対してＬＥＤモジュール４及びセンサモジュール５を自由に接続することができるので、レイアウトフリーで施工性に優れている。尚、本実施形態では、図１に示すように、ＬＥＤモジュール４或いはセンサモジュール５を接続していないゲート装置３が存在するが、ここには当然ＬＥＤモジュール４或いはセンサモジュール５を接続してもよい。また、例えばスイッチ機能を有する機能モジュール（図示しない）やコンセント機能を有する機能モジュール（図示しない）を接続することもできる。
【００３５】
以上の構成の配線システム１では、通常時には、商用電源ＡＣから供給されるＡＣ電力は、主幹ブレーカＭＢに導入され、第一分岐ブレーカＢＢ１を介して電力線Ｌ１を通って各ゲート装置３に送られると共に第二分岐ブレーカＢＢ２を介して分岐電力線Ｌ３を通って第二ＡＣ／ＤＣコンバータ６に送られる。
【００３６】
ゲート装置３に送られたＡＣ電力は、電力路接続口３１と電力被接触部４１とを介して第一ＡＣ／ＤＣコンバータ４３に送られ、ＡＣ電力からＤＣ電力に変換され、第一発光素子ＬＥＤ４７にＤＣ供給される。そうすると、第一発光素子ＬＥＤ４７が発光してＬＥＤモジュール４が機能する。因みに、拡張用の機能モジュールがＬＥＤモジュール４に隣接されている場合には、第一発光素子ＬＥＤ４７にＤＣ供給されると共に変換されたＤＣ電力がＤＣ／ＡＣコンバータ４４に送られてＡＣ電力に変換され、コア４５とコイル４６とを介して非接触で拡張用の機能モジュールにＡＣ供給される。尚、センサモジュール５についても、防犯防災センサ５７にＤＣ供給され、防犯防災センサ５７が作動してセンサモジュール５が機能する。
【００３７】
そして、第二ＡＣ／ＤＣコンバータ６に送られたＡＣ電力は、ＤＣ変換され、ＤＣ電力としてバッテリ７に充電される。
【００３８】
一方、停電時には、第二ＡＣ／ＤＣコンバータ６の停電検出機能により、停電状態であることが検出され、バッテリ７からＤＣ電力が供給されるようになる。バッテリ７から供給されたＤＣ電力は、ゲートウェイＧＷを介して情報線Ｌ２を通り、ゲート装置３に送られる。ゲート装置３に送られたＤＣ電力は、情報路接続口３２と情報被接触部４２とを介して第一発光素子ＬＥＤ４７にＤＣ供給され、第一発光素子ＬＥＤ４７が発光してＬＥＤモジュール４が機能する。尚、センサモジュール５についても、防犯防災センサ５７にＤＣ供給され、防犯防災センサ５７が作動してセンサモジュール５が機能する。
【００３９】
以上の構成からなる配線システム１にあっては、ゲート装置３の電力路接続口３１と情報路接続口３２とにＬＥＤモジュール４及びセンサモジュール５のそれぞれのコネクタ４Ａ，５Ａを構成する電力被接触部４１，５１と情報被接触部４２，５２とをそれぞれ接続することによって、ゲート装置３に対してＬＥＤモジュール４及びセンサモジュール５を接続するものである。よって、ＬＥＤモジュール４及びセンサモジュール５は、ゲート装置３に接続すれば、電力線Ｌ１及び情報線Ｌ２に同時に接続されることになる。従って、電力路と情報路とを同時に確保することができる。
【００４０】
しかも、通常時には、商用電源ＡＣから送られるＡＣ電力は、第一分岐ブレーカＢＢ１を介して電力線Ｌ１を通ってゲート装置３に送られ、電力路接続口３１と電力被接触部４１，５１とを介して第一ＡＣ／ＤＣコンバータ４３，５３によってＤＣ電力に変換される。そして、ＤＣ電力として第一発光素子ＬＥＤ４７及び防犯防災センサ５７にＤＣ供給され、第一発光素子ＬＥＤ４７が発光すると共に防犯防災センサ５７が作動してＬＥＤモジュール４及びセンサモジュール５が機能する。
【００４１】
一方、停電時には、停電検出手段としての第二ＡＣ／ＤＣコンバータ６の停電検出機能によって停電状態であることが検出される。これに伴ってバッテリ７に蓄えられたＤＣ電力により情報線Ｌ２を通って第一発光素子ＬＥＤ４７及び防犯防災センサ５７にＤＣ供給される。そして、第一発光素子ＬＥＤ４７が発光すると共に防犯防災センサ５７が作動して、ＬＥＤモジュール４及びセンサモジュール５が機能する。
【００４２】
従って、停電しても防犯や防災等をすることができるうえに、バッテリ７とＬＥＤモジュール４或いはセンサモジュール５との間の配線を簡素化することができる。更に、電力線Ｌ１をＡＣ電力専用の電力路とすることによって汎用性が向上すると共にＤＣ駆動部としての第一発光素子ＬＥＤ４７或いは防犯防災センサ５７に対し直接的にＤＣ供給することができる。
【００４３】
また、電力線Ｌ１と情報線Ｌ２とは分電盤２を介して商用電源ＡＣと接続され、バッテリ７と第二ＡＣ／ＤＣコンバータ６とは、分電盤２内に設けられているため、分電盤２とゲート装置３との間の電力線Ｌ１及び情報線Ｌ２の配線を簡素化することができると共にメンテナンス等の作業を分電盤２内で一手に行うことが可能となる。
【００４４】
更に、ＤＣ駆動部として電力消費量が少ない第一発光素子ＬＥＤ４７と防犯防災センサ５７とを用いているため、バッテリ７に蓄えられたＤＣ電力を長時間に亘って利用することができる。加えて、第一発光素子ＬＥＤ４７をハイポジションＨＰ及びローポジションＬＰに設けているので、停電時に、例えば避難者の避難経路を照らす等の防災用照明器具等として利用するだけでなく、通常時にも主たる照明器具や足元灯などに利用することができる。
【００４５】
また、防犯防災センサ５７によって様々な防犯防災機能を得ることができる。例えば、防犯防災センサ５７が異常状態を検出した場合に、第一発光素子ＬＥＤ４７を点滅状態にすることによって家人に異常を知らせることも可能であるし、或いは、侵入者に対して威嚇することも可能である。
【００４６】
尚、本実施形態では、ＡＣ／ＤＣ変換手段として第一ＡＣ／ＤＣコンバータ４３と第二ＡＣ／ＤＣコンバータ６とを備える場合について説明したが、これに限られず、一つのＡＣ／ＤＣコンバータを備える場合であってもよい。この場合、商用電源ＡＣからのＡＣ電力をＡＣ／ＤＣコンバータにてＤＣ電力に変換したうえで、通常時におけるＤＣ駆動機能モジュールへのＤＣ供給とバッテリ７への充電とを行う。
【００４７】
また、本実施形態では、停電時のバッテリ７からの電力供給が情報線Ｌ２を通している場合について説明したが、これに限られず、情報線Ｌ２とは別の例えば停電用電力線Ｌ１を準備し、これを通して電力供給してもよい。
【００４８】
更に、本実施形態では、バッテリ７及び第二ＡＣ／ＤＣコンバータ６が分電盤２内において分岐電力線Ｌ３及び情報線Ｌ２に電気的に接続されている場合について説明したが、これに限られず、分電盤２外に設けてもよい。例えば、分電盤２とゲート装置３との間にバッテリ７及び第二ＡＣ／ＤＣコンバータ６を配置し、分岐電力線Ｌ３及び情報線Ｌ２のそれぞれに電気的に接続する場合であってもよい。
【００４９】
また更に、本実施形態では、バックアップ電源手段としてバッテリ７を用いる場合について説明したが、これに限られず、例えば、ＵＰＳや太陽電池、或いは二次電池等であってもよいし、また、各種の自家発電手段等であってもよい。
【００５０】
また、バッテリ７はＡＣ電力を充電しＡＣ電力を供給する場合であってもよい。
【図面の簡単な説明】
【００５１】
【図１】本発明の一実施形態に係る配線システムを示す構成説明図。
【図２】ゲート装置及びＬＥＤモジュールを示す構成説明図。
【図３】ゲート装置及びセンサモジュールを示す構成説明図。
【符号の説明】
【００５２】
１…配線システム、２…分電盤、３…ゲート装置、４…ＬＥＤモジュール、５…センサモジュール、６…第二ＡＣ／ＤＣコンバータ、７…バッテリ、４３… 第一ＡＣ／ＤＣコンバータ、４７…第一発光素子ＬＥＤ、５７…防犯防災センサ、Ｌ１…電力線、Ｌ２…情報線、Ｌ３…分岐電力線、ＡＣ…商用電源、ＮＴ…インターネット網、ＧＷ…ゲートウェイ、ＭＢ…主幹ブレーカ、ＢＢ１…第一分岐ブレーカ、ＢＢ２…第二分岐ブレーカ
【図１】
2007174494.tif 000003
【図２】
2007174494.tif 000004
【図３】
2007174494.tif 000005